(57)【特許請求の範囲】
【請求項１】
夫々が略中央部に露光用の開口部を有し所定の間隔を空けて相互に取り付けられている二つの地板と、前記開口部の側方位置に枢着された複数のアームとそれらに枢支された１枚以上の羽根とで構成されていて前記二つの地板間で前記羽根が略上下方向に作動する先羽根及び後羽根と、弾性材料によって所定の長さに形成されていてその断面形状が幅の広い基板部と幅の狭い圧入部とからなっており相互に取り付けられた後の前記二つの地板の外縁の間から該圧入部を前記先羽根又は後羽根が当接し得る領域まで着脱可能に圧入しその圧入量が前記二つの地板のうちの少なくとも一方の地板の外縁と前記基板部との接触によって制限される遮光部材と、を備えていることを特徴とするカメラ用フォーカルプレンシャッタ。
【請求項２】
前記遮光部材は、その長さ方向の所定の位置に、前記圧入部を有していない部位を設けており、その部位を屈曲変形させて、前記圧入部を前記二つの地板間に圧入していることを特徴とする請求項１に記載のカメラ用フォーカルプレンシャッタ。
【発明の詳細な説明】
【０００１】
【発明の属する技術分野】
本発明は、撮影に際して、先羽根と後羽根とを同一方向へ順次作動させ、両者によって形成されたスリットにより、露光を行うようにしたカメラ用のフォーカルプレンシャッタに関する。
【０００２】
【従来の技術】
最近のフォーカルプレンシャッタは、その殆どのものが、露光用の開口部を有する二つの地板の間に先羽根と後羽根とを配置している。また、先羽根と後羽根は略同じような構成をしており、横長の長方形をした露光開口の一方の側方位置において一方の地板に枢着された二つのアームと、横長形状をしていて二つずつの連結軸によって上記の二つのアームに枢支された１枚以上（通常、３〜５枚）の羽根とで構成されている。そして、撮影に際しては、先羽根と後羽根は、スリット形成羽根を上記の露光開口の上下方向に作動させるようにしている。
【０００３】
ところで、フィルムを装填したままでカメラを長く放置しておくと、極めて微細な隙間からの漏光によって、フィルムを感光させてしまうことがある。そのため、カメラの製作に当たっては、各所に、全く光が進入しないようにするか、やむなく進入を許したとしても、実質的にフィルムに対して影響しないようにするために、種々の遮光手段が施されている。そして、当然のことながら、そのような遮光手段は、上記の構成をしたシャッタにも必要とされている。
【０００４】
上記の構成のシャッタは、露光開口が横長であるが故に、アームに枢支される羽根は、薄い板材で横長に製作されている。そのため、その羽根は、長さ方向の中央部を膨らますようにして撓み易くなっている。しかも、アームに枢支される羽根の枚数を増やせば増やすほど、露光開口の中央部において撓み易くなる。従って、露光開口を羽根が覆っている場合であっても、カメラ本体側で何らかの対策が講じられていない場合には、シャッタの上方と下方から、二つの地板の間に進入してくる光に対しては、何らかの対策が必要となる。また、この種のシャッタは、主に一眼レフカメラに用いられるので、ファインダ光学系がシャッタの真上に配置されるのが普通である。そのため、特に上方から進入してくる光に対しては、特に要注意ということになる。
【０００５】
他方、この種のシャッタは、アームに枢支されている羽根が、撮影に際しては、上下方向の一方へ、高速で作動させられる。そのため、その作動の終了時には、上記の羽根を弾性材料からなるストッパに当接させて、好適に停止させる必要があるが、そのようにした構成の一例が、実開昭６０−１４５４２２号公報に記載されている。そして、そのストッパが、露光開口の上方位置又は下方位置に設けられるものであることから、そのストッパの役目と、上記の遮光手段の役目とを、共通の部材によって兼用させるようにした構成例が、実公平３−３６９８３号公報に記載されている。本発明は、この後者の公報に記載された構成の改良に関するものである。
【０００６】
【発明が解決しようとする課題】
ところで、上記の実公平３−３６９８３号公報に記載されている構成（以下、従来例という）によれば、弾性材料で製作されていて遮光手段とストッパとを兼ねている遮光部材（スペーサ２１，２２）は、直接的に表現されてはいないものの、他の構成説明や図面から判断して、予め二つの地板（地板１，覆板３）の一方に、何らかの手段によって固定しておいてから、他の構成部材と共にシャッタユニットとして組み立てられるようにようになっている。
【０００７】
その場合、上記の遮光部材が、単に、遮光機能だけを有するものであるならば、何の問題もない。しかしながら、羽根のストッパ機能をも有するとなると問題点がないとは言えない。即ち、その遮光部材は、好適にストッパの役目をさせるものである以上、どのような位置で羽根を当接させてもよいということにはならない。詳しい理由は、後述の実施例の説明で述べるが、遮光部材の適正な位置は、先羽根や、後羽根や、それらの駆動部材などとの関係において決められるものである。勿論、従来例においても、そのようなことを考慮して遮光部材の取付け位置は決められる。しかし、全ての部品には許容公差が決められている以上、ユニットとして組み立てられた状態では、その位置が適正位置ではなくなってしまうものが出てしまう。そのため、従来例の場合は、組立後の調整が面倒となり、場合によっては、一部を分解しなければならないという問題点があった。
【０００８】
本発明は、このような問題点を解決するためになされたものであり、その目的とするところは、略中央部に露光用の開口部を形成している二つの地板の外縁から羽根室内に進入してくる光に対する遮光機能と、作動中の羽根に対するストッパ機能とを有している遮光部材を、二つの地板の間に着脱自在に取り付けるようにした、取付け構成の簡単なカメラ用フォーカルプレンシャッタを提供することである。
【０００９】
【課題を解決するための手段】
上記の目的を達成するために、本発明のカメラ用フォーカルプレンシャッタは、夫々が略中央部に露光用の開口部を有し所定の間隔を空けて相互に取り付けられている二つの地板と、前記開口部の側方位置に枢着された複数のアームとそれらに枢支された１枚以上の羽根とで構成されていて前記二つの地板間で前記羽根が略上下方向に作動する先羽根及び後羽根と、弾性材料によって所定の長さに形成されていてその断面形状が幅の広い基板部と幅の狭い圧入部とからなっており相互に取り付けられた後の前記二つの地板の外縁の間から該圧入部を前記先羽根又は後羽根が当接し得る領域まで着脱可能に圧入しその圧入量が前記二つの地板のうちの少なくとも一方の地板の外縁と前記基板部との接触によって制限される遮光部材と、を備えているようにする。
【００１０】
また、本発明のカメラ用フォーカルプレンシャッタにおいては、前記遮光部材は、その長さ方向の所定の位置に、前記圧入部を有していない部位を設けており、その部位を屈曲変形させて、前記圧入部を前記二つの地板間に圧入しているようにすると、前記二つの地板の外縁が直線的でない場合に好適となる。
【００１１】
【発明の実施の形態】
本発明の実施の形態を、図１〜図５に示した実施例によって説明する。尚、本実施例は、本発明を一眼レフカメラ用のシャッタに適用したものであって、図１は、被写体側、即ち撮影レンズ側から視たセット状態の平面図であり、図２は、図１において組み付け状態で示されている遮光部材を単体部品として示した斜視図である。また、図３は、図１と同様にして視た全開状態の平面図であり、図４は、図３のＡ−Ａ線断面図である。そして、図５は、図１及び図３と同様にして視た平面図であって、露光作動終了直後の状態を、ファインダ光学系に対する配置構成が分かり易いようにして示したものである。
【００１２】
先ず、本実施例の構成を説明するが、説明の便宜上、カメラを構えたときに、被写体側を表面側と称し、撮影者側を背面側と称することにする。図１に示すように、シャッタ地板１は、外形が横長の略長方形をしており、その略中央部には横長の長方形をした開口部１ａが形成されている。また、開口部１ａの左側の側方位置には二つの円弧状の長孔１ｂ，１ｃが形成されていて、それらの上端部には、周知のようにして、平面形状がＣ字状をしているブチルゴム製の緩衝部材２，３が取り付けられている。また、シャッタ地板１の表面側には軸１ｄ，１ｅが立設され、背面側には軸１ｆ，１ｇ，１ｈ，１ｉ、１ｊ、１ｋ、１ｍ、１ｎが立設されている。そして、それらのうち、軸１ｄと軸１ｆ、及び軸１ｅと１ｇは、夫々、同心的に配置されている。
【００１３】
シャッタ地板１の背面側に立設された四つの軸１ｊ，１ｋ，１ｍ，１ｎには、図４に示されている中間板４と補助地板５が取り付けられており、シャッタ地板１と中間板４の間を先羽根群の羽根室とし、中間板４と補助地板５の間を後羽根群の羽根室としている。また、中間板４と補助地板５とは、全体としてシャッタ地板１と似た形状をしていて、いずれも、開口部１ａと類似の形状をした開口部４ａ，５ａを、略中央部に形成している。そして、通常は、それらの三つの開口部１ａ，４ａ，５ａを重ねるように配置し、それらのうちの一つ又は複数によって、長方形を横長にした露光開口の形状を規制するようにしているが、本実施例においては、開口部１ａが、その露光開口の形状を規制しているものとして説明する。
【００１４】
また、図１及び図４から分かるように、補助地板５には、四つの折曲部５ｂ，５ｃ，５ｄ，５ｅが形成されている。そして、これらの折曲部５ｂ，５ｃ，５ｄ，５ｅは、いずれも、表面側、即ちシャッタ地板１側に折り曲げられていて、シャッタ地板１との間から各羽根室内に入ってくる光や塵埃を極力遮断できるようにしている。更に、シャッタ地板１の軸１ｋ,１ｍには、先羽根用押さえ板６と後羽根用押さえ板７とが取り付けられているが、それらの平面形状と取り付け方は周知であるため、図４において、一点鎖線で示すだけにしている。そして、先羽根用押さえ板６は、シャッタ地板１に設けられた間座部１ｐ，１ｑに接触し、後羽根用押さえ板７は、補助地板５に設けられた間座部５ｆ，５ｇに接触し得るようになっている。
【００１５】
次に、シャッタ地板１の表面側に取り付けられている先羽根用駆動部材８と後羽根用駆動部材９について説明する。シャッタ地板１の軸１ｄには、先羽根用駆動部材８が回転可能に取り付けられていて、図示していない周知の先羽根用駆動ばねによって反時計方向へ回転するように付勢されている。また、この先羽根用駆動部材８の背面側に設けられている駆動ピン８ａは、根元部が大径部として形成され、先端部が小径部として形成されていて、シャッタ地板１の長孔１ｂを貫通している。そして、その大径部の根元部は、上記した緩衝部材２に当接し得るようになっている。また、本実施例は、通常、ダイレクトタイプと称されているフォーカルプレンシャッタであって、この先羽根用駆動部材８には、図示していない先羽根用電磁石に吸着される鉄片部材が取り付けられていて、セット時には、図示していないセット部材によって、上記した先羽根用駆動ばねの付勢力に抗して時計方向へ回転されるようになっているが、それらの構成は周知であり、しかも、本発明とは直接関係がないので、図示を省略されている。
【００１６】
他方、シャッタ地板１の軸１ｅに回転可能に取り付けられている後羽根用駆動部材９は、上記の先羽根用駆動部材８と同等の構成をしていて、図示していない周知の後羽根用駆動ばねによって反時計方向へ回転するように付勢されている。また、その背面側に設けられている駆動ピン９ａの場合にも、根元部が大径部として形成され、先端部が小径部として形成されていて、シャッタ地板１の長孔１ｃを貫通しているが、大径部として形成された根元部が、上記した緩衝部材３に当接し得るようになっている。そして、この後羽根用駆動部材９にも、図示していない後羽根用電磁石に吸着される鉄片部材が取り付けられていて、セット時には、図示していないセット部材によって、上記した後羽根用駆動ばねの付勢力に抗して時計方向へ回転されるようになっているが、それらの構成は周知であるため、図示を省略されている。
【００１７】
次に、先羽根群と後羽根群の構成を説明するが、先ず、上記したように、シャッタ地板１と中間板４との間に配置されている先羽根群の構成を説明する。先羽根群は、シャッタ地板１の軸１ｆ，１ｈに回転可能に取り付けられている二つのアーム１０，１１と、それらの長さ方向に順に枢支された４枚の羽根１２，１３，１４，１５で構成されていて、最先端に枢支された羽根１５がスリット形成羽根となっている。そして、アーム１０に形成された長孔１０ａには、上記の駆動ピン８ａの先端部が嵌合しており、先羽根用駆動部材８が回転すると、それらの羽根１２，１３，１４，１５の先端部、即ち図１における右端部は、先羽根用押さえ板６と中間板４との間で作動するようになっている。
【００１８】
また、各羽根の枢支構成は、周知のように、リベット部品である連結軸を用いて行われている。即ち、アームと羽根とに形成されている孔に、連結軸をアーム側から挿入し、その挿入端を、羽根にかしめて固定している。そして、この先羽根群の場合には、二つのアーム１０，１１が、各羽根１２，１３，１４，１５よりもシャッタ地板１側に配置されていて、それらのアーム１０，１１から、各連結軸の頭が、シャッタ地板１側に突き出ている。
【００１９】
他方、後羽根群は、シャッタ地板１の軸１ｇ，１ｉに回転可能に取り付けられている二つのアーム１６，１７と、それらの長さ方向に順に枢支された４枚の羽根１８，１９，２０，２１で構成されていて、最先端に枢支された羽根２１がスリット形成羽根となっている。そして、アーム１６に形成された長孔１６ａには、上記の駆動ピン９ａの先端部が嵌合しており、後羽根用駆動部材９が回転すると、それらの羽根１８，１９，２０，２１の先端部は、中間板４と後羽根用押さえ板７との間で作動するようになっている。また、各羽根の枢支構成は、上記した先羽根群の場合と同じであるが、この後羽根群の場合には、二つのアーム１６，１７が、各羽根１８，１９，２０，２１よりも補助地板５側に配置されていて、それらのアーム１６，１７から、各連結軸の頭が、補助地板５側に突き出ている。
【００２０】
更に、本実施例においては、開口部１ａの上方位置において、シャッタ地板１と補助地板５との間が、遮光部材２２によって塞がれている。この遮光部材２２は、ゴムや合成樹脂材料等の弾性を有する材料で製作されており、本実施例においては、部品単体では、図２に示された形状をしている。即ち、本実施例における遮光部材２２は、断面がＴ字状をしていて、全体としては、幅の広い基板部２２ａと幅の狭い圧入部２２ｂとで形成されているが、右端部は圧入部２２ｂのみで形成され、左端部に近い位置の一部は基板部２２ａのみで形成されている。そして、この遮光部材２２は、圧入部２２ｂを、シャッタ地板１と補助地板５との間に圧入し、基板部２２ａを二つの地板１，５の外縁に接触させることによって、その圧入量が規制されている。
【００２１】
そのため、この遮光部材２２を取り付けるに際しては、図１において、圧入部２２ｂだけで形成されている右端部を、折曲部５ｃの左側から下側に挿入し、また、左端部の近傍位置において基板部２２ａだけで形成されている部分を屈曲変形させ、全ての圧入部２２ｂをシャッタ地板１と補助地板５の間に圧入させるようにする。そのため、この遮光部材２２は、一旦取り付けると、大きな力を加えれば、取り外すことが可能であるが、通常の力では簡単に取り外せないようになっている。また、本実施例では、上記の右端部における圧入部２２ｂの幅を、他の圧入部２２ｂの幅と同じに形成しているが、若干小さめに形成しても一向に差し支えなく、そのようにした方が挿入し易いし、そのようにしても、後述する機能上の点で特に問題は生じない。尚、本実施例においては、遮光部材２２を、このように形成しているが、本発明は、上記のように基板部２２ａだけで形成している部位や圧入部２２ｂだけで形成している部位を設けることは、必須としていない。
【００２２】
ここで、図５を用い、本発明のシャッタが取り付けられるカメラ側の一部の構成を説明しておく。図５は、本実施例のシャッタを、一眼レフカメラに取り付けた場合の一例を示したものである。そのため、周知のように、対物レンズから入射した被写体光は、非撮影時には、開口部１ａの前面に配置されたミラーで上方へ反射された後、ペンタプリズムを含むファインダ光学系を介して接眼レンズに導かれ、撮影者によって被写体像の観察を可能にしている。そこで、図５においては、ミラーを収容しているミラーボックス２３を一部だけ示し、ファインダ光学系２４については、その光路位置が理解できるように、概略的に示してある。
【００２３】
この図５から分かるように、シャッタをカメラ本体に組み付ける場合には、シャッタ地板１や補助地板５の上端面は、ミラーボックス２３との間に隙間を設けて取り付けるのが普通である。そのため、シャッタ地板１と補助地板５との間からは比較的大きなゴミやチリが入り易く、最終的には、それが原因の一つとなって露光作動に影響を与えてしまうことがあるという問題点がある。また、極めて僅かな隙間からカメラ内に入ってきた光が反射を重ね、非撮影時において、シャッタ地板１と補助地板５との間から進入し、フィルムを感光させてしまうという問題点もある。まして、ファインダ光学系２４の光路が上記したように、極めて近い位置を通るため、対物レンズから入射した光や接眼レンズから入射した光が、それを助長させてしまうこともある。
【００２４】
そのため、シャッタ地板１と補助地板５との間に対しては、従来から、他の隙間位置には設けないことがある場合でも、それらの上端面の隙間に対しては、必ずと言ってよいほど、何らかの遮光手段を設けるようにしているのが普通である。そこで、本実施例においては、補助地板５に、折曲部５ｂ，５ｃ，５ｄ，５ｅを設けて、その役目をさせているが、特に、開口部１ａの真上の位置であって、ファインダ光学系２４の光路に近い位置には、弾性材料からなる遮光部材２２を取り付け、シャッタ地板１と補助地板５の間を密閉し、遮光効果と防塵効果を一段と良くするようにしている。
【００２５】
次に、本実施例の作動を説明する。図１は、シャッタのセット状態を示している。即ち、図示していないセット部材が、初期位置から作動して、先羽根用駆動部材８と後羽根用駆動部材９を、先羽根用駆動ばねと後羽根用駆動ばねの付勢力に抗して時計方向ヘ回転させ、セット作動終了後も、セット部材は初期位置へ復帰せず、各駆動部材８，９に取り付けられている図示していない鉄片部材を、夫々の電磁石に接触させた状態にしている。また、この状態においては、先羽根群の４枚の羽根１２，１３，１４，１５は展開状態となって、開口部１ａを完全に覆っており、後羽根群の４枚の羽根１８，１９，２０，２１は重畳状態となって、開口部１ａの下方位置に格納されている。
【００２６】
このようなセット状態において、カメラのレリーズボタンが押されると、先ず、図示していない先羽根用電磁石と後羽根用電磁石に通電され、それらの磁力によって各駆動部材８，９の鉄片部材が吸着保持される。そのため、その後、図示していないセット部材が初期位置へ復帰させられるが、各駆動部材８，９は、露光作動開始位置で停止状態を維持させられる。次に、図示していない先羽根用電磁石に対する通電が断たれる。すると、鉄片部材に対する保持力が失われ、先羽根用駆動部材８は、先羽根用駆動ばねの付勢力によって反時計方向へ回転を開始する。そのため、先羽根用駆動部材８の駆動ピン８ａが、アーム１０を反時計方向へ回転させ、先羽根群の４枚の羽根１２，１３，１４，１５を上方へ作動させていく。その結果、羽根１２，１３，１４，１５は相互の重なり量を大きくして行き、スリット形成羽根１５の下端縁であるスリット形成縁によって、開口部１ａを開いていく。
【００２７】
そして、スリット形成羽根１５のスリット形成縁が、開口部１ａを全開にした段階になると、先ず、先羽根用駆動部材８の駆動ピン８ａが緩衝部材２に当接し、次に、先羽根群が遮光部材２２に当接して、図３及び図４に示されているような停止状態となる。このことから分かるように、遮光部材２２は、弾性材料で製作されていることから、上記したような遮光機能、防塵機能を有するほかに、先羽根群の停止時の衝撃力に対し緩衝機能を有していることになる。そして、本実施例の場合には、斜めに取り付けられている左端部の圧入部２２ｂには、アーム１０の先端が当接するようになっており、圧入部２２ｂだけで形成されている右端部には、慣性力によって一番大きく振り回される各羽根の先端部が当接するようになっている。
【００２８】
ところで、上記の説明からも分かるように、本実施例の場合には、遮光部材２２は、先羽根群の露光作動に対するストッパの役目をしている。従って、遮光部材２２の圧入部２２ｂの位置決めは、極めて重要な意味を有している。即ち、駆動ピン８ａが緩衝部材２に当接する前に、先羽根群が遮光部材２２に当接すると、先羽根用駆動ばねの強力な付勢力が、遮光部材２２に直接加わることになり、先羽根群の構成部材が大きく変形させられたり、圧入部２２ｂが傷付けられたりして、所望の緩衝効果が得られなくなるばかりか、先羽根群が破壊されてしまうこともある。また、逆に、駆動ピン８ａが緩衝部材２に当接した後、各羽根１２，１３，１４，１５が圧入部２２ｂに当接するまでのタイミングが余り遅れると、アーム１０，１１に対する各羽根１２，１３，１４，１５の枢支部近傍において、各羽根１２，１３，１４，１５が、慣性力によって反時計方向へ回転するような力が大きく作用してしまうことになり、枢支部の破壊に繋がるようになってしまう。
【００２９】
ところが、本実施例によれば、補助地板５をシャッタ地板１に取り付けた後に、それらの間の隙間に、遮光部材２２の圧入部２２ｂを圧入するようにしているため、上記のようなタイミングの大きなずれが、シャッタ組立直後の検査段階で判明した場合でも、市販後においてそのようなことが生じてしまうようになった場合でも、シャッタユニットを全く分解することなく、新しい遮光部材２２やサイズの異なる遮光部材と簡単に交換して、所期の性能を得ることが可能になっている。
【００３０】
そこで、上記のようにして、先羽根用電磁石に対する通電が断たれてから所定時間が経過すると、今度は、後羽根用電磁石に対する通電が断たれることになる。周知のように、実際には、そのようにして後羽根用電磁石に対する通電が断たれるタイミングは、撮影条件によって様々である。そして、通常の場合は、むしろ、上記のようにして、先羽根群の露光作動が終了してしまう前に、後羽根用電磁石に対する通電が断たれることが多い。しかし、本実施例の作動説明においては、説明の都合上、先羽根群の露光作動が終了した後に、通電が断たれた場合で説明することにする。
【００３１】
図３に示された状態において、後羽根用電磁石に対する通電が断たれると、後羽根用駆動部材９に設けられている図示していない鉄片部材に対する保持力が失われ、後羽根用駆動部材９は、図示していない後羽根用駆動ばねの付勢力によって反時計方向へ急速に回転させられる。そして、そのとき、駆動ピン９ａがアーム１６を反時計方向ヘ回転させるため、後羽根群の４枚の羽根１８，１９，２０，２１は、隣接する羽根同士の重なりを小さくしつつ上方へ作動し、スリット形成羽根２１の上方縁であるスリット形成縁によって、開口部１ａを閉じていく。
そして、４枚の羽根１８，１９，２０，２１が開口部１ａを完全に覆った段階になると、後羽根用駆動部材９の駆動ピン９ａが緩衝部材３に当接して停止し、露光作動が終了する。その露光作動終了直後の状態が図５に示されている。尚、本実施例においては、後羽根群に対する直接のストッパが示されていないが、周知の手段を用いていることは言うまでもない。
【００３２】
次に、本実施例のセット作動を簡単に説明する。図５に示された状態において、フィルムの巻き上げが行われると、それに連動して図示していないセット部材が初期位置から作動を開始し、先ず、先羽根用駆動部材８を、図示していない先羽根用駆動ばねの付勢力に抗して、時計方向ヘ回転させていく。そのため、駆動ピン８ａがアーム１０を時計方向ヘ回転させるので、先羽根群の４枚の羽根１２，１３，１４，１５は、隣接する羽根同士の重なり量を小さくしつつ下方へ作動されていく。
【００３３】
その後、先羽根群のスリット形成羽根１５と後羽根群のスリット形成羽根２１の重なり量が所定量に達すると、図示していないセット部材は、後羽根用駆動部材９を、図示していない後羽根用駆動ばねの付勢力に抗して、時計方向ヘ回転させるようになる。それによって、駆動ピン９ａがアーム１６を時計方向ヘ回転させるので、後羽根群の４枚の羽根１８，１９，２０，２１は、隣接する羽根同士の重なり量を大きくしつつ下方へ作動されていく。そして、先羽根群の羽根１２，１３，１４，１５が展開状態となって開口部１ａを覆い終わり、後羽根群の羽根１８，１９，２０，２１が重畳状態となって開口部１ａの下方位置に格納された段階で、図示していないセット部材の作動が終了する。そのセット状態が図１に示された状態である。
【００３４】
尚、本実施例においては、遮光部材２２を、長方形をした開口部１ａの長辺の長さ範囲内で取り付けているが、ミラーボックス２３の形状などによって何らかの制約を受けることがなければ、より長くしても一向に差し支えない。また、遮光部材２２は、通常の力では取り外せないように圧入されているが、何らかの異常な要因と羽根群から受ける衝撃とが相俟って、圧入量にずれが生じてしまう心配が全くないとは言えないが、本実施例の場合は、遮光部材２２をミラーボックス２３に密接させているので、その心配は全くない。また、本実施例においては、補助地板５の下方位置に折曲部５ｄ，５ｅを設けているが、それらの代わりに、遮光部材２２に相当する部材を取り付けるようにしても差し支えない。但し、そのようにしても、本実施例のシャッタの場合には、後羽根群に対する緩衝機能を発揮することができないが、非撮影時においては、先羽根群と後羽根群とによって開口部１ａを覆っているようにした二重遮光方式のシャッタに対しては緩衝機能を発揮することが可能となる。
【００３５】
また、上記の実施例の場合には、露光作動に際して、各羽根群は、下方から上方へ作動するようになっている。しかしながら、上方から下方へ作動するようにしたシャッタも沢山知られている。従って、そのようなシャッタの場合には、開口部１ａの下方位置に、上記のような遮光部材２２を取り付けると、遮光機能や防塵機能はもとより、緩衝機能をフルに発揮させることが可能になる。更に、本実施例においては、図４に示されているように、遮光部材２２の断面形状が左右対称のＴ字状となるように形成されているが、実際には、補助地板５よりもシャッタ地板１の方を厚くすることが多いため、本発明は、そのように左右対称に形成することを必須としない。補助地板５を比較的薄い金属板で製作する場合などは、断面形状がＬ字状であっても、圧入量は適正に規制され、機能的にも全く変わりがない。
【００３６】
【発明の効果】
以上のように、本発明は、弾性材料で製作されていて、断面形状が幅の広い基板部と幅の狭い圧入部とで形成されている遮光部材を用意し、その圧入部を二つの地板の外縁からそれらの間に圧入し、その圧入量を基板部によって規制するようにしたものであるから、二つの地板の外縁から羽根室内に進入してくる光に対する遮光機能と、羽根に対するストッパ機能と緩衝機能とが、簡単な取付け構成によって確実に得られ、且つストッパ機能と緩衝機能とが適正に得られない場合には、他の遮光部材と簡単に交換することができるという利点がある。
【図面の簡単な説明】
【図１】被写体側、即ち撮影レンズ側から視た実施例の平面図であって、セット状態を示したものである。
【図２】図１において組み付け状態で示されている遮光部材を単体部品で示した斜視図である。
【図３】図１と同様にして視た実施例の平面図であって、露光開口の全開状態を示したものである。
【図４】図３のＡ−Ａ線断面図である。
【図５】図１及び図３と同様にして視た実施例の平面図であって、露光作動終了直後の状態を、ファインダ光学系に対する配置構成が分かり易いようにして示したものである。
【符号の説明】
１                      シャッタ地板
１ａ，４ａ，５ａ        開口部
１ｂ，１ｃ，１０ａ      長孔
１ｄ，１ｅ，１ｆ，１ｇ，１ｈ，１ｉ，１ｊ，１ｋ，１ｍ，１ｎ  軸
１ｐ，１ｑ，５ｆ，５ｇ  棚部
２，３                  緩衝部材
４                      中間板
５                      補助地板
５ｂ，５ｃ，５ｄ，５ｅ  折曲部
６                      先羽根用押さえ板
７                      後羽根用押さえ板
８                      先羽根用駆動部材
８ａ，９ａ              駆動ピン
９                      後羽根用駆動部材
１０，１１，１６，１３  アーム
１２，１３，１４，１５，１８，１９，２０，２１  羽根
２２                    遮光部材
２２ａ                  基板部
２２ｂ                  圧入部
２３                    ミラーボックス
２４                    ファインダ光学系
【図１】
0004416908.tif 000002
【図２】
0004416908.tif 000003
【図３】
0004416908.tif 000004
【図４】
0004416908.tif 000005
【図５】
0004416908.tif 000006